(57)【要約】      （修正有）【課題】ヒステリシスの発生がなく適正な作動範囲で作動し、浮動接点が固定接点側の段差に対して追従しやすく導通が安定するスライドスイッチ用接点保持装置を提供する。【解決手段】スライドスイッチ装置Ａにおいて、浮動接点４０はその両端部に各々略垂直状に差込片部４１が形成されているとともに差込片部の先端部の外側に係止突起４２が設けられ、差込片部を接点支持部２１と係止片３０との間に差し込み、係止突起を係止片にスナップフィット構造によって係止した。【選択図】図２
0003191946.tif 000002
【実用新案登録請求の範囲】
【請求項１】
ケーシングに対してスライダを進退させることにより、前記スライド部材に設置された浮動接点を前記ケーシングに設置された固定接点に対して接触させたり離したりしてスイッチをＯＮ／ＯＦＦさせるスライドスイッチ装置において、前記スライダは接点支持部を有するとともに前記スライダは前記接点支持部の両側に前記接点支持部に対向する係止片を有し、且つ、前記浮動接点はその両端部に各々略垂直状に差込片部が形成されているとともに前記差込片部の先端部の外側に係止突起が設けられ、前記差込片部を前記接点支持部と前記掛止片との間に差し込み前記係止突起を前記係止片にスナップフィット構造によって係止したことを特徴とするスライドスイッチ用接点保持装置。
【請求項２】
前記差込片部を折り曲げ形成したことを特徴とする請求項１のスライドスイッチ用接点保持装置。
【考案の詳細な説明】
【技術分野】
【０００１】
この考案はスライドスイッチ用接点保持装置に関し、浮動接点をスライダに保持する際に使用される。
【背景技術】
【０００２】
従来におけるこの種の接点保持装置は、図３に示すように、浮動接点４０をスライダ２０に取り付けるにあたって、接点支持部２１に浮動接点４０を冠着し、浮動接点４０の差込片部４１，４１を接点支持部２１と掛止片７０，７０との間に差し込み、差込片部４１，４１の弾発力によって係止突起４２，４２を前記掛止片７０，７０に掛け止めすることによって浮動接点４０をスライダ２０に保持していた。
【考案の開示】
【考案が解決しようとする課題】
【０００３】
しかしながら、かかる従来のスライドスイッチ用接点保持装置にあっては、浮動接点４０を取り付けるにあたって、前記差込片部４１，４１と前記掛止片７０，７０との間にクリアランスＣを設けたため、前記浮動接点４０がスライドする際にこのクリアランスＣからヒステリシスが発生しスライドスイッチＡが適正な作動範囲で作動しにくいという不都合を有した。
【０００４】
この考案の課題はこの不都合を解消することである。
【課題を解決するための手段】
【０００５】
前記不都合を解消するために、この考案に係るスライドスイッチ用接点保持装置においては、ケーシングに対してスライダを進退させることにより、前記スライド部材に設置された浮動接点を前記ケーシングに設置された固定接点に対して接触させたり離したりしてスイッチをＯＮ／ＯＦＦさせるスライドスイッチ装置において、前記スライダは接点支持部を有するとともに前記スライダは前記接点支持部の両側に前記接点支持部に対向する係止片を有し、且つ、前記浮動接点はその両端部に各々略垂直状に差込片部が形成されているとともに前記差込片部の先端部の外側に係止突起が設けられ、前記差込片部を前記接点支持部と前記掛止片との間に差し込み前記係止突起を前記係止片にスナップフィット構造によって係止したしたものである。
【０００６】
この場合、前記差込片部を折り曲げ形成することができる。
【０００７】
この考案に係るスライドスイッチ用接点保持装置は上記のように構成されているため、即ち、ケーシングに対してスライダを進退させることにより、前記スライド部材に設置された浮動接点を前記ケーシングに設置された固定接点に対して接触させたり離したりしてスイッチをＯＮ／ＯＦＦさせるスライドスイッチ装置において、前記スライダは接点支持部を有するとともに前記スライダは前記接点支持部の両側に前記接点支持部に対向する係止片を有し、且つ、前記浮動接点はその両端部に各々略垂直状に差込片部が形成されているとともに前記差込片部の先端部の外側に係止突起が設けられ、前記差込片部を前記接点支持部と前記掛止片との間に差し込み前記係止突起を前記係止片にスナップフィット構造によって係止したため、浮動接点を取り付けるにあたって、従来必要とした前記差込片部と前記係止片との間のクリアランスは不要となる。
【０００８】
よって、この考案に係るスライドスイッチ用接点保持装置を使用すれば、従来発生した前記クリアランスに基づくヒステリシスは発生しないため、スイッチは適正な作動範囲で作動することができる。また、浮動接点をスナップフィット構造によって係止したため、浮動接点が上下動しやすい結果、固定接点側の段差に対しても追従しやすく導通を安定させることができる。
【０００９】
この場合、前記差込片部を折り曲げ形成すれば形成しやすいものである。
【考案を実施するための最良の形態】
【００１０】
この考案に係るスライドスイッチ用接点保持装置は実施するにあたって下記の構成に最も主要な特徴を有する。
【００１１】
「スナップフィット構造」とは従来から存在するものであり、この考案においては、スライダに浮動接点を嵌合するにあたって、スライダに一対の係止片を所定間隔で断面Ｕ字状の板ばねを介して設置し、浮動接点はこれらの係止片の間に前記板ばねの弾性に抗して侵入し、係止突起を前記係止片に係止するものである。
【００１２】
「差込片部」は浮動接点と一体的に折り曲げ形成するのが適している。
【実施例】
【００１３】
以下、この考案の実施例を図面に基づいて説明する。
【００１４】
図１はこの考案に係るスライドスイッチ用接点保持装置の使用されたスライドスイッチの平面図、図２は図１におけるII−II線断面図、図３は図２に相当する従来例の図である。
【００１５】
図１及び図２において、Ａはスライドスイッチ、１０はそのケーシングである。このケーシング１０は樹脂製であり、下端開口１１を有する。１２は操作孔であり、前記ケーシング１０の上部側面に形成されている。また。１３は操作レバーであり、前記操作孔１２に進退可能に嵌装している。
【００１６】
２０はスライダであり、前記ケーシング１０内において、前記操作レバー１３の先端部に固定されている。このスライダ２０は前記操作レバー１３の進退に従って前記ケーシング１０内を進退する。
【００１７】
２１は接点支持部であり、前記スライダ２０の略中心部に一体形成されている。この接点支持部２１は下方に向かって突設している。２２はバネ穴であり、前記接点支持部２１の先端面に形成されている。このバネ穴２２には圧縮コイルばね２３が収容されている。
【００１８】
３０，３０は係止片であり、前記断面Ｕ字状の板ばね３１，３１を介して設置されている。この係止片３０，３０は略水平状に配置され、また、前記板ばね３１，３１は逆Ｕ字状に配置されている。この断面Ｕ字状の板ばね３１，３１は前記係止片３０，３０を水平方向及び上下方向に弾性的に支えている。なお、これらの係止片３０，３０及び断面Ｕ字状の板ばね３１，３１の構造がこの発明の「スナップフィット構造」を構成する。
【００１９】
４０は浮動接点であり、前記接点支持部（スライダ２０の）２１に前記圧縮コイルばね２３に抗して冠設されている。この浮動接点４０は前記スライダ２０とともに進退する。４１，４１は差込片部であり、前記浮動接点４０の両端部に各々略垂直状に折り曲げ形成されている。この差込片部４１，４１は前記接点支持部２１と前記係止片３０，３０との間に差し込まれている。４２，４２は係止突起であり、前記差込片部４１，４１の外側面に一体形成されている。この係止突起４２，４２は上面（差し込み方向の面）は先端に向かって下がり傾斜であり、前記係止片３０，３０に前記板ばね３１，３１の弾性に抗して係止されている。所謂、「スナップフィット構造」によって係止されている。
【００２０】
５０は固定端子保持部材であり、前記ケーシング１０の下部に略水平に設置されている。前記スライダ２０はこの固定端子保持部材５０の表面に沿って進退する。５１，５２，５２は固定端子であり、前記固定端子保持部材５０の表面に設置されている。前記スライダ２０を進退させることにより、前記浮動接点４０をこれらの固定端子５１，５２，５２に接触させたり離したりして前記スライドスイッチＡをＯＮ／ＯＦＦさせる。
【００２１】
６０は蓋体であり、前記ケーシング１０の下端開口１１に嵌められている。この蓋体６０は前記固定端子保持部材５０を下方から固定している。
【産業上の利用可能性】
【００２２】
この考案に係るスライドスイッチ用接点保持装置は、従来必要とした前記差込片と前記係止片との間のクリアランスは不要となるため、前記クリアランスに基づいてヒステリシスは発生しない結果、スイッチは適正な作動範囲で作動することができる。また、浮動接点をスナップフィット構造によって係止したため、浮動接点が上下動しやすい結果、固定接点側の段差に対しても追従しやすく導通を安定させることができる。産業上の利用可能性は高いものである。
【図面の簡単な説明】
【００２３】
【図１】図１はこの考案に係るスライドスイッチ用接点保持装置の使用されたスライドスイッチの平面図である。
【図２】図２は図１におけるII−II線断面図である。
【図３】図３は図２に相当する従来例の図である。
【符号の説明】
【００２４】
Ａ  …  スライドスイッチ
Ｃ  …  クリアランス
１０  …  ケーシング
１１  …  下端開口
１２  …  操作孔
１３  …  操作レバー
２０  …  スライダ
２１  …  接点支持部
２２  …  バネ穴
２３  …  圧縮コイルばね
３０  …  係止片（スナップフィット構造）
３１  …  断面Ｕ字状の板ばね（スナップフィット構造）
４０  …  浮動接点
４１  …  差込片部
４２  …  係止突起
５０  …  固定端子保持部材
５１  …  固定端子
５２  …  固定端子
６０  …  蓋体
【図１】
0003191946.tif 000003
【図２】
0003191946.tif 000004
【図３】
0003191946.tif 000005
【手続補正書】
【提出日】平成26年5月18日(2014.5.18)
【手続補正１】
【補正対象書類名】実用新案登録請求の範囲
【補正対象項目名】全文
【補正方法】変更
【補正の内容】
【実用新案登録請求の範囲】
【請求項１】
ケーシングに対してスライダを進退させることにより、前記スライダに設置された浮動接点を前記ケーシングに設置された固定接点に対して接触させたり離したりしてスイッチをＯＮ／ＯＦＦさせるスライドスイッチ装置において、前記スライダは接点支持部を有するとともに前記スライダは前記接点支持部の両側に前記接点支持部に対向する係止片を有し、且つ、前記浮動接点はその両端部に各々略垂直状に差込片部が形成されているとともに前記差込片部の先端部の外側に係止突起が設けられ、前記差込片部を前記接点支持部と前記係止片との間に差し込み前記係止突起を前記係止片にスナップフィット構造によって係止したことを特徴とするスライドスイッチ用接点保持装置。
【請求項２】
前記差込片部を折り曲げ形成したことを特徴とする請求項１のスライドスイッチ用接点保持装置。
【手続補正２】
【補正対象書類名】明細書
【補正対象項目名】全文
【補正方法】変更
【補正の内容】
【考案の詳細な説明】
【技術分野】
【０００１】
この考案はスライドスイッチ用接点保持装置に関し、浮動接点をスライダに保持する際に使用される。
【背景技術】
【０００２】
従来におけるこの種の接点保持装置は、図３に示すように、浮動接点４０をスライダ２０に取り付けるにあたって、接点支持部２１に浮動接点４０を冠着し、浮動接点４０の差込片部４１，４１を接点支持部２１と掛止片７０，７０との間に差し込み、差込片部４１，４１の弾発力によって係止突起４２，４２を前記掛止片７０，７０に掛け止めすることによって浮動接点４０をスライダ２０に保持していた。
【考案の開示】
【考案が解決しようとする課題】
【０００３】
しかしながら、かかる従来のスライドスイッチ用接点保持装置にあっては、浮動接点４０を取り付けるにあたって、前記差込片部４１，４１と前記掛止片７０，７０との間にクリアランスＣを設けたため、前記浮動接点４０がスライドする際にこのクリアランスＣからヒステリシスが発生しスライドスイッチＡが適正な作動範囲で作動しにくいという不都合を有した。
【０００４】
この考案の課題はこの不都合を解消することである。
【課題を解決するための手段】
【０００５】
前記不都合を解消するために、この考案に係るスライドスイッチ用接点保持装置においては、ケーシングに対してスライダを進退させることにより、前記スライダに設置された浮動接点を前記ケーシングに設置された固定接点に対して接触させたり離したりしてスイッチをＯＮ／ＯＦＦさせるスライドスイッチ装置において、前記スライダは接点支持部を有するとともに前記スライダは前記接点支持部の両側に前記接点支持部に対向する係止片を有し、且つ、前記浮動接点はその両端部に各々略垂直状に差込片部が形成されているとともに前記差込片部の先端部の外側に係止突起が設けられ、前記差込片部を前記接点支持部と前記係止片との間に差し込み前記係止突起を前記係止片にスナップフィット構造によって係止したしたものである。
【０００６】
この場合、前記差込片部を折り曲げ形成することができる。
【考案の効果】
【０００７】
この考案に係るスライドスイッチ用接点保持装置は上記のように構成されているため、即ち、ケーシングに対してスライダを進退させることにより、前記スライダに設置された浮動接点を前記ケーシングに設置された固定接点に対して接触させたり離したりしてスイッチをＯＮ／ＯＦＦさせるスライドスイッチ装置において、前記スライダは接点支持部を有するとともに前記スライダは前記接点支持部の両側に前記接点支持部に対向する係止片を有し、且つ、前記浮動接点はその両端部に各々略垂直状に差込片部が形成されているとともに前記差込片部の先端部の外側に係止突起が設けられ、前記差込片部を前記接点支持部と前記係止片との間に差し込み前記係止突起を前記係止片にスナップフィット構造によって係止したため、浮動接点を取り付けるにあたって、従来必要とした前記差込片部と前記係止片との間のクリアランスは不要となる。
【０００８】
よって、この考案に係るスライドスイッチ用接点保持装置を使用すれば、従来発生した前記クリアランスに基づくヒステリシスは発生しないため、スイッチは適正な作動範囲で作動することができる。また、浮動接点をスナップフィット構造によって係止したため、浮動接点が上下動しやすい結果、固定接点側の段差に対しても追従しやすく導通を安定させることができる。
【０００９】
この場合、前記差込片部を折り曲げ形成すれば形成しやすいものである。
【考案を実施するための最良の形態】
【００１０】
この考案に係るスライドスイッチ用接点保持装置は実施するにあたって下記の構成に最も主要な特徴を有する。
【００１１】
「スナップフィット構造」とは従来から存在するものであり、この考案においては、スライダに浮動接点を嵌合するにあたって、スライダに一対の係止片を所定間隔で断面Ｕ字状の板ばねを介して設置し、浮動接点はこれらの係止片の間に前記板ばねの弾性に抗して侵入し、係止突起を前記係止片に係止するものである。
【００１２】
「差込片部」は浮動接点と一体的に折り曲げ形成するのが適している。
【実施例】
【００１３】
以下、この考案の実施例を図面に基づいて説明する。
【００１４】
図１はこの考案に係るスライドスイッチ用接点保持装置の使用されたスライドスイッチの平面図、図２は図１におけるII−II線断面図、図３は図２に相当する従来例の図である。
【００１５】
図１及び図２において、Ａはスライドスイッチ、１０はそのケーシングである。このケーシング１０は樹脂製であり、下端開口１１を有する。１２は操作孔であり、前記ケーシング１０の上部側面に形成されている。また。１３は操作レバーであり、前記操作孔１２に進退可能に嵌装している。
【００１６】
２０はスライダであり、前記ケーシング１０内において、前記操作レバー１３の先端部に固定されている。このスライダ２０は前記操作レバー１３の進退に従って前記ケーシング１０内を進退する。
【００１７】
２１は接点支持部であり、前記スライダ２０の略中心部に一体形成されている。この接点支持部２１は下方に向かって突設している。２２はバネ穴であり、前記接点支持部２１の先端面に形成されている。このバネ穴２２には圧縮コイルばね２３が収容されている。
【００１８】
３０，３０は係止片であり、前記断面Ｕ字状の板ばね３１，３１を介して設置されている。この係止片３０，３０は略水平状に配置され、また、前記板ばね３１，３１は逆Ｕ字状に配置されている。この断面Ｕ字状の板ばね３１，３１は前記係止片３０，３０を水平方向及び上下方向に弾性的に支えている。なお、これらの係止片３０，３０及び断面Ｕ字状の板ばね３１，３１の構造がこの発明の「スナップフィット構造」を構成する。
【００１９】
４０は浮動接点であり、前記接点支持部（スライダ２０の）２１に前記圧縮コイルばね２３に抗して冠設されている。この浮動接点４０は前記スライダ２０とともに進退する。４１，４１は差込片部であり、前記浮動接点４０の両端部に各々略垂直状に折り曲げ形成されている。この差込片部４１，４１は前記接点支持部２１と前記係止片３０，３０との間に差し込まれている。４２，４２は係止突起であり、前記差込片部４１，４１の外側面に一体形成されている。この係止突起４２，４２は上面（差し込み方向の面）は先端に向かって下がり傾斜であり、前記係止片３０，３０に前記板ばね３１，３１の弾性に抗して係止されている。所謂、「スナップフィット構造」によって係止されている。
【００２０】
５０は固定端子保持部材であり、前記ケーシング１０の下部に略水平に設置されている。前記スライダ２０はこの固定端子保持部材５０の表面に沿って進退する。５１，５２，５２は固定端子であり、前記固定端子保持部材５０の表面に設置されている。前記スライダ２０を進退させることにより、前記浮動接点４０をこれらの固定端子５１，５２，５２に接触させたり離したりして前記スライドスイッチＡをＯＮ／ＯＦＦさせる。
【００２１】
６０は蓋体であり、前記ケーシング１０の下端開口１１に嵌められている。この蓋体６０は前記固定端子保持部材５０を下方から固定している。
【産業上の利用可能性】
【００２２】
この考案に係るスライドスイッチ用接点保持装置は、従来必要とした前記差込片と前記係止片との間のクリアランスは不要となるため、前記クリアランスに基づいてヒステリシスは発生しない結果、スイッチは適正な作動範囲で作動することができる。また、浮動接点をスナップフィット構造によって係止したため、浮動接点が上下動しやすい結果、固定接点側の段差に対しても追従しやすく導通を安定させることができる。産業上の利用可能性は高いものである。
【図面の簡単な説明】
【００２３】
【図１】図１はこの考案に係るスライドスイッチ用接点保持装置の使用されたスライドスイッチの平面図である。
【図２】図２は図１におけるII−II線断面図である。
【図３】図３は図２に相当する従来例の図である。
【符号の説明】
【００２４】
Ａ  …  スライドスイッチ
Ｃ  …  クリアランス
１０  …  ケーシング
１１  …  下端開口
１２  …  操作孔
１３  …  操作レバー
２０  …  スライダ
２１  …  接点支持部
２２  …  バネ穴
２３  …  圧縮コイルばね
３０  …  係止片（スナップフィット構造）
３１  …  断面Ｕ字状の板ばね（スナップフィット構造）
４０  …  浮動接点
４１  …  差込片部
４２  …  係止突起
５０  …  固定端子保持部材
５１  …  固定端子
５２  …  固定端子
６０  …  蓋体